(57)【要約】【課題】宅外から遠隔操作を行う際の不具合に起因する消費電力の増加を抑制することが可能な電子機器等を提供する。【解決手段】実施形態の電子機器は、宅外の遠隔操作機器からの遠隔操作に応じた動作を行う第１の機能と、一定時間無操作時の電源状態を所定の電源状態へ移行させるための動作を行う第２の機能と、を備えた制御部を有する。制御部は、第１の機能を有効化するための設定がユーザにより行われたことを検知した際に、一定時間無操作時の電源状態を所定の電源状態へ移行させるための設定を自動的に有効化するよう設定する。【選択図】図１
2019161547.tif 000002
【特許請求の範囲】
【請求項１】
宅外の遠隔操作機器からの遠隔操作に応じた動作を行う第１の機能と、一定時間無操作時の電源状態を所定の電源状態へ移行させるための動作を行う第２の機能と、を備えた制御部を有する電子機器であって、
前記制御部は、前記第１の機能を有効化するための設定がユーザにより行われたことを検知した際に、前記一定時間無操作時の電源状態を所定の電源状態へ移行させるための設定を自動的に有効化するよう設定する
ことを特徴とする電子機器。
【請求項２】
映像を表示する映像表示部をさらに有し、
前記制御部は、前記所定の電源状態を複数の電源状態の中からユーザに選択させることが可能な設定画面を前記映像表示部に表示させるための動作を行う
ことを特徴とする請求項１に記載の電子機器。
【請求項３】
宅外の遠隔操作機器からの遠隔操作に応じた動作を行う第１の機能と、一定時間無操作時の電源状態を所定の電源状態へ移行させるための動作を行う第２の機能と、を備えた制御部を有する電子機器における電源状態設定方法であって、
前記制御部が、前記第１の機能を有効化するための設定がユーザにより行われたことを検知し、
前記制御部が、前記一定時間無操作時の電源状態を所定の電源状態へ移行させるための設定を自動的に有効化するよう設定する
ことを特徴とする電源状態設定方法。
【発明の詳細な説明】
【技術分野】
【０００１】
本発明の実施形態は、電子機器及び電源状態設定方法に関する。
【背景技術】
【０００２】
電子機器の電源状態の制御に係る種々の提案が従来行われている。
【０００３】
具体的には、例えば、特許文献１には、テレビジョン受像機において、オンタイマー機能により電源オンされた際に一定期間無操作であれば、自動的に電源をオフするとともに当該オンタイマー機能を無効にするような構成が開示されている。
【０００４】
また、例えば、特許文献２には、放送受信装置において、当該放送受信装置に対して操作が行われない無操作時間として設定された時間を経過した際に、ユーザが視聴している番組の番組終了時刻に応じて電源をオフするような構成が開示されている。
【０００５】
ところで、宅内の電子機器を宅外の機器から遠隔操作するような場合には、当該宅外の機器における誤操作、及び、当該宅外の機器の操作に応じた信号を伝送する伝送路における通信状態の悪化等の不具合の発生に起因し、当該電子機器が意図しない動作を行うおそれがある。
【０００６】
具体的には、例えば、宅内の電子機器を宅外のスマートフォンから遠隔操作するような場合に、当該スマートフォンにおける誤タップ等の発生に起因し、当該電子機器の電源が意図せずオンされてしまうような状況が発生し得る。
【先行技術文献】
【特許文献】
【０００７】
【特許文献１】特開２００８−３０６５３９号公報
【特許文献２】特開２００９−６０２０６号公報
【発明の概要】
【発明が解決しようとする課題】
【０００８】
実施形態は、宅外から遠隔操作を行う際の不具合に起因する消費電力の増加を抑制することが可能な電子機器及び電源状態設定方法を提供することを目的とする。
【課題を解決するための手段】
【０００９】
実施形態の電子機器は、宅外の遠隔操作機器からの遠隔操作に応じた動作を行う第１の機能と、一定時間無操作時の電源状態を所定の電源状態へ移行させるための動作を行う第２の機能と、を備えた制御部を有する電子機器であって、前記制御部は、前記第１の機能を有効化するための設定がユーザにより行われたことを検知した際に、前記一定時間無操作時の電源状態を所定の電源状態へ移行させるための設定を自動的に有効化するよう設定する。
【発明の効果】
【００１０】
実施形態の電子機器及び電源状態設定方法によれば、宅外から遠隔操作を行う際の不具合に起因する消費電力の増加を抑制することができる。
【図面の簡単な説明】
【００１１】
【図１】実施形態に係る電子機器の一例である放送受信装置の構成を示すブロック図。
【図２】実施形態に係る放送受信装置の遠隔操作に係る構成の一例を示す図。
【図３】実施形態に係る放送受信装置において行われる動作の一例を説明するためのフローチャート。
【図４】実施形態に係る放送受信装置の動作に応じて表示される設定画面の一例を示す図。
【図５】実施形態に係る放送受信装置の動作に応じて表示される設定画面の一例を示す図。
【発明を実施するための形態】
【００１２】
以下、図面を参照して実施形態を説明する。
【００１３】
図１において、放送受信装置１は、制御部１０を備えている。制御部１０は、ＣＰＵ等を用いたプロセッサによって構成されて、ＲＯＭ１０ａに記憶されたプログラムに従いＲＡＭ１０ｂを用いて動作して各部を制御するものであってもよいし、ハードウェアの電子回路で機能の一部又は全部を実現するものであってもよい。また、制御部１０には、不揮発性メモリ１０ｃも設けられている。不揮発性メモリ１０ｃには、後述する放送信号から抽出した各種情報が記憶される。図１は、実施形態に係る電子機器の一例である放送受信装置の構成を示すブロック図である。
【００１４】
アンテナ２１は、高度ＢＳ放送及び高度広帯域ＣＳ放送（以下、これらを高度広帯域放送という）を受信して高度広帯域放送信号を放送受信装置１の入力端子２ａに供給する。入力端子２ａに入力された高度広帯域放送信号はチューナ部Ｔｕに供給される。
【００１５】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された高度広帯域放送信号の中から所望のチャンネルの放送信号を選局し、選局した信号を信号処理部３に出力する。信号処理部３は、入力された放送信号を復調する。
【００１６】
図１の例では１つの高度広帯域放送に対応するアンテナ２１のみを示したが、地上デジタル放送、ＢＳ放送、ＣＳ放送に対応するアンテナを設けて、各アンテナからの信号をチューナ部Ｔｕに供給するようになっていてもよい。この場合には、信号処理部３は、各放送の変調方式に対応した復調を行う。これにより、信号処理部３において、各放送信号のストリームが得られる。なお、図１では各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１７】
例えば、高度広帯域放送信号については、信号処理部３の復調によってＴＬＶ（Type Length Value）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Entitlement Control Message），ＥＭＭ（Entitlement Management Message）を含む各種メッセージを抽出する。
【００１８】
また、信号処理部３は、地上デジタル放送信号等の現行放送信号については、復調処理によってトランスポートストリーム（ＭＰＥＧ−２  Ｓｙｓｔｅｍｓ規格により多重されたトランスポートストリーム）を抽出する。信号処理部３は、トランスポートストリームから映像データ及び音声データを抽出すると共に、ＥＣＭ，ＥＭＭを含む各種メッセージを抽出するようになっている。
【００１９】
放送受信装置１にはＣＡＳモジュール１５が設けられている。ＣＡＳモジュール１５は、限定受信方式の制御のために用いられる。
【００２０】
なお、ＣＡＳモジュール１５は、放送受信装置１に内蔵されたチップ上に搭載されて構成される場合もあり、また、ＣＡＳモジュールが組み込まれた基板によって構成されて、放送受信装置１に設けた図示しないスロットに当該基板を挿入することで限定受信機能を実現する場合も考えられる。また、ＣＡＳモジュール１５は、高度広帯域放送の限定受信機能と現行放送の限定受信機能の両方の機能を有する場合や、高度広帯域放送の限定受信機能のみを備え、現行放送の限定受信機能については、ＩＣカード２３としてのＣＡＳカードにより実現する場合もある。
【００２１】
信号処理部３は、各放送方式の抽出された映像及び音声に対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。
【００２２】
ＯＳＤ信号生成部５は、制御部１０から与えられた情報に基づいて、スーパーインポーズ表示するための画像情報（ＯＳＤ信号）を生成してグラフィック処理部４に供給する。グラフィック処理部４は、信号処理部３からのデジタルの映像データと、ＯＳＤ信号生成部５からのＧＵＩ（Graphical User Interface）に基づくウィンドウ描画とを管理して、映像データに基づく画像上にデータ放送やＧＵＩに基づく画像等を重ね合わせ、重ね合わせた画像を映像処理部６に送る。
【００２３】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するため画像生成処理を行うことができる。
【００２４】
映像処理部６は、制御部１０に制御されて、グラフィック処理部４からのデジタル映像信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２５】
また、音声処理部７は、信号処理部３からのデジタルの音声データを、スピーカー９で再生可能なアナログ音声信号に変換した後、スピーカー９に出力して音声を再生させる。なお、放送受信装置がセット・トップ・ボックス等の場合には、映像表示部８やスピーカー９を備えている必要はない。
【００２６】
放送受信装置１にはカードインタフェース（Ｉ／Ｆ）１３、通信Ｉ／Ｆ１６、ＵＳＢＩ／Ｆ１７及びＨＤＭＩＩ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカード（以下、Ｂ−ＣＡＳカードという）を採用した場合には、カードＩ／Ｆ１３は、現行放送のデスクランブルに関するデータの送受を行う。
【００２７】
通信Ｉ／Ｆ１６は、電話回線やＬＡＮ等の所定の通信路に対応したインタフェースであり、端子２ｂを介して後述のクラウドサーバ２０１等の外部機器に接続されるとともに、当該外部機器と制御部１０との間でデータの送受信を可能にする。また、ＨＤＭＩＩ／Ｆ１８は、ＨＤＭＩ（登録商標）規格に対応したインタフェースであり、端子２ｄを介して図示しない外部機器に接続されて外部機器からのＨＤＭＩ（登録商標）信号を受信して制御部１０に出力したり、制御部１０からのＨＤＭＩ（登録商標）信号を、端子２ｂを介して外部機器に出力したりすることができる。
【００２８】
ＵＳＢＩ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢＩ／Ｆ１７及び端子２ｃを介して映像データをＨＤＤ２４に与えて記録させることが可能である。
【００２９】
なお、放送受信装置１に内蔵した図示しないＨＤＤや光ディスクディスクドライブ、ＳＤ（登録商標）カードリーダライタ等によって記録部を構成した場合には、制御部１０は、放送番組の信号をこれらの各記録部に記録することも可能である。
【００３０】
例えば、制御部１０は、ユーザによって放送番組の録画が指定された場合には、信号処理部３によって取得されたデスクランブル後の番組データ（映像及び音声データ）をＵＳＢＩ／Ｆ１７を介してＨＤＤ２４に与えて記録させることができるようになっている。なお、制御部１０は、放送番組の記録をスタンバイ状態（機能待機状態）においても実行することができるようになっている。
【００３１】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ２２からユーザ操作に基づく操作信号を受信し、受信した操作信号を制御部１０に出力する。制御部１０は、操作部１１及び受信部１２からの操作信号に基づいて、放送受信装置１の各部を制御する。例えば、リモートコントローラ２２のアップ／ダウンキーやワンタッチ選局キー等によって受信チャンネル番号を指定する操作が行われた場合には、各チューナＴｕｎは、制御部１０からの操作信号に応じた選局動作を行う。
【００３２】
操作部１１及びリモートコントローラ２２には、放送受信装置１の電源のオン，オフ操作を行うための図示しない電源スイッチが配設されている。放送受信装置１には、各部に電源を供給するための図示しない電源回路が設けられており、制御部１０は、電源スイッチが操作されることで、各部への電源供給を制御して、スタンバイ状態に設定するようになっている。
【００３３】
なお、スタンバイ状態では、少なくとも図１のグラフィック処理部４、ＯＳＤ信号生成部５、映像処理部６、音声処理部７、映像表示部８及びスピーカー９については動作停止状態となり、制御部１０は動作していてもユーザは放送番組の視聴はできない。なお、本実施形態を高度広帯域放送を受信して映像及び音声を出力するデコーダに適用した場合には、スタンバイ状態は、映像及び音声データの出力停止状態を意味する。
【００３４】
制御部１０は、スタンバイ状態において、例えば、以下のように、各種機能を実現することが可能である。
【００３５】
例えば、制御部１０は、スタンバイ状態であっても、告知情報に基づいて、自身のタイマーにてダウンロードコンテンツ情報の受信に必要な回路に電源を供給し、ダウンロードコンテンツをダウンロードし、ダウンロード終了時に立ち上げた電源を切る電源制御機能を有する。また、制御部１０は、電源スイッチのオフ操作が行われてスタンバイ状態に移行する場合であっても、必要な回路の通電を保持し、ダウンロードコンテンツをダウンロードし、ダウンロード終了時に電源を切る電源制御機能を有する。
【００３６】
また、制御部１０は、ＥＭＭ取得のために、上述した電源制御機能と同様の動作を行うことも可能である。
【００３７】
また、制御部１０は、スタンバイ状態において、チャンネルサーチによるEPG情報の取得が可能である。
【００３８】
また、制御部１０は、スタンバイ状態においてＴＭＣＣを受信し、ＴＭＣＣの起動制御ビットが１の場合も受信チャンネルのＭＰＴにある緊急情報記述子（ＭＨ）を監視することで、緊急警報放送（ＥＷＳ）の受信処理を行うことが出来る。
【００３９】
また、制御部１０は、ユーザによる各種予約動作（番組予約など）を実行することができる。
【００４０】
また、制御部１０は、一定時間無操作時の放送受信装置１の電源状態を所定の電源状態へ移行させるための動作を行う機能を有している。なお、一定時間無操作時の放送受信装置１の電源状態の設定方法等については、後程説明する。
【００４１】
放送受信装置１は、例えば、図２に示すように、宅内に設置されているとともに、端子２ｂを介して宅外に設置されたクラウドサーバ２０１に接続されるように構成されている。また、放送受信装置１は、宅外の遠隔操作機器１０１において行われる入力操作に応じてクラウドサーバ２０１から出力されるコマンド信号を受信することができるように構成されている。また、制御部１０は、通信Ｉ／Ｆ１６を介して入力されるコマンド信号を解析することにより、当該コマンド信号に応じた動作を行うことができるように構成されている。すなわち、制御部１０は、宅外の遠隔操作機器１０１からの遠隔操作に応じた動作を行う機能を備えて構成されている。図２は、実施形態に係る放送受信装置の遠隔操作に係る構成の一例を示す図である。
【００４２】
なお、本実施形態の遠隔操作機器１０１は、インターネット等のＷＡＮ（広域通信網）を介してクラウドサーバ２０１に接続可能であるとともに、放送受信装置１の動作に必要なコマンド信号をクラウドサーバ２０１から出力させるための入力操作を行うことが可能である限りにおいては、どのような形態を有していてもよい。具体的には、本実施形態においては、例えば、音声入力に応じた操作を行うことが可能なスマートスピーカー、及び、タッチ入力に応じた操作を行うことが可能なスマートフォン等を遠隔操作機器１０１として用いることができる。
【００４３】
次に、本実施形態の作用について、図３〜図５を参照しつつ説明する。図３は、実施形態に係る放送受信装置において行われる動作の一例を説明するためのフローチャートである。図４及び図５は、実施形態に係る放送受信装置の動作に応じて表示される設定画面の一例を示す図である。
【００４４】
ユーザは、操作部１１またはリモートコントローラ２２において、放送受信装置１をクラウドサーバ２０１に接続した状態で提供されるサービスの設定（以降、クラウド設定とも称する）に係る設定画面を表示させるための操作を行う。
【００４５】
制御部１０は、操作部１１または受信部１２から出力される操作信号に応じ、クラウド設定に含まれる各設定項目に対応する現在の設定値を示すクラウド設定情報を不揮発性メモリ１０ｃから読み込むとともに、当該読み込んだクラウド設定情報に応じた設定画面を生成して映像表示部８に表示させるための制御をＯＳＤ信号生成部５及び映像処理部６に対して行う。そして、このような制御部１０の動作によれば、例えば、図４に示すような、宅外からの遠隔操作の可否を二者択一でユーザに選択させることが可能な設定画面ＳＧＣが映像表示部８に表示される。
【００４６】
ユーザは、例えば、宅外の遠隔操作機器１０１からの放送受信装置１の遠隔操作を許可する場合に、操作部１１またはリモートコントローラ２２において、設定画面ＳＧＣの「宅外遠隔操作」の設定項目に含まれる２つの選択項目の中から「受け付ける」を選択するための操作を行う。また、ユーザは、例えば、宅外の遠隔操作機器１０１からの放送受信装置１の遠隔操作を許可しない場合に、操作部１１またはリモートコントローラ２２において、設定画面ＳＧＣの「宅外遠隔操作」の設定項目に含まれる２つの選択項目の中から「受け付けない」を選択するための操作を行う。
【００４７】
制御部１０は、操作部１１または受信部１２から出力される操作信号に基づき、設定画面ＳＧＣの「宅外遠隔操作」の設定項目に含まれる２つの選択項目の中からどちらの項目が選択されたかを判定する（図３のステップＳ１）。また、制御部１０は、図３のステップＳ１の動作における判定結果として得られた項目に応じてクラウド設定情報の設定値を更新するための動作を行う。
【００４８】
制御部１０は、例えば、設定画面ＳＧＣの「宅外遠隔操作」の設定項目に含まれる２つの選択項目の中から「受け付ける」が選択されたとの判定結果を得た場合、すなわち、宅外の遠隔操作機器１０１からの放送受信装置１の遠隔操作を有効化するための設定が行われたことを検知した場合（Ｓ１：ＹＥＳ）、無操作状態が一定時間継続した際の（一定時間無操作時の）放送受信装置１の電源状態をスタンバイ状態に設定する（図３のステップＳ２）。また、制御部１０は、図３のステップＳ２の動作により設定した設定内容に応じて電源状態設定情報の設定値を更新するための動作を行う。
【００４９】
換言すると、制御部１０は、宅外の遠隔操作機器１０１からの遠隔操作に応じた動作を行う機能を有効化するための設定がユーザにより行われたことを検知した際に、一定時間無操作時の放送受信装置１の電源状態をスタンバイ状態に設定する。
【００５０】
なお、電源状態設定情報は、放送受信装置１の電源状態の設定（以降、電源状態設定とも称する）に含まれる各設定項目に対応する現在の設定値を示す情報に相当する。また、以降においては、特に言及の無い限り、電源状態設定情報及びクラウド設定情報が不揮発性メモリ１０ｃにそれぞれ格納されている場合を例に挙げて説明する。
【００５１】
制御部１０は、例えば、設定画面ＳＧＣの「宅外遠隔操作」の設定項目に含まれる２つの選択項目の中から「受け付けない」が選択されたとの判定結果を得た場合、すなわち、宅外の遠隔操作機器１０１からの放送受信装置１の遠隔操作を無効化するための設定が行われたことを検知した場合（Ｓ１：ＮＯ）、無操作状態が一定時間継続した際の（一定時間無操作時の）放送受信装置１の電源状態に係る設定値を現在の設定値のまま維持する（図３のステップＳ３）。すなわち、図３のステップＳ３の動作が行われた場合には、不揮発性メモリ１０ｃに格納されている電源状態設定情報の設定値が更新されない。
【００５２】
なお、無操作状態は、例えば、操作部１１、リモートコントローラ２２または遠隔操作機器１０１の操作に応じた操作信号が制御部１０に入力されない状態、すなわち、放送受信装置１の動作状態がユーザにより能動的に変更されない状態を意味するものとする。また、無操作状態の継続時間は、例えば、操作部１１、リモートコントローラ２２及び遠隔操作機器１０１のうちのいずれかの操作に応じた操作信号が制御部１０に入力されなくなったタイミングを起点として（制御部１０の図示しないタイマーにより）計測されるとともに、当該操作信号が制御部１０に入力されたタイミングで０にリセットされるものとする。また、例えば、予約動作等のような、ユーザにより予め設定された設定内容等に基づく動作については、無操作状態が一定時間継続したか否かに係わらず実行されるものとする。
【００５３】
ユーザは、設定画面ＳＧＣの「宅外遠隔操作」の設定を行った後で、操作部１１またはリモートコントローラ２２において、電源状態設定を行うための設定画面を表示させるための操作を行う。
【００５４】
制御部１０は、操作部１１または受信部１２から出力される操作信号に応じ、電源状態設定情報を不揮発性メモリ１０ｃから読み込むとともに、当該読み込んだ電源状態設定情報に応じた設定画面を生成して映像表示部８に表示させるための制御をＯＳＤ信号生成部５及び映像処理部６に対して行う。そして、このような制御部１０の動作によれば、例えば、図５に示すような、一定時間無操作時の電源状態を複数の選択項目（複数の電源状態）の中からユーザに選択させることが可能な設定画面ＳＧＰが映像表示部８に表示される。
【００５５】
ユーザは、例えば、一定時間無操作時の放送受信装置１の電源状態をスタンバイ状態に移行させる場合に、操作部１１またはリモートコントローラ２２において、設定画面ＳＧＰの「一定時間無操作時」の設定項目に含まれる各選択項目の中から「スタンバイ状態」を選択するための操作を行う。また、ユーザは、例えば、一定時間無操作時の放送受信装置１の電源状態を別の電源状態に移行させない場合に、操作部１１またはリモートコントローラ２２において、設定画面ＳＧＰの「一定時間無操作時」の設定項目に含まれる各選択項目の中から「変更しない」を選択するための操作を行う。
【００５６】
なお、本実施形態においては、「スタンバイ状態」及び「変更しない」以外の他の１つ以上の選択項目が、設定画面ＳＧＰの「一定時間無操作時」の設定項目に含まれるようにしてもよい。具体的には、例えば、「オフ状態」のような、放送受信装置１の各部に対する通電が停止されるオフ状態に対応する選択項目が設定画面ＳＧＰの「一定時間無操作時」の設定項目に含まれるようにしてもよい。すなわち、本実施形態の制御部１０は、宅外の遠隔操作機器１０１からの遠隔操作に応じた動作を行う機能を有効化するための設定がユーザにより行われたことを検知した際に、一定時間無操作時の放送受信装置１の電源状態をスタンバイ状態またはオフ状態のいずれかに設定するように構成されていればよい。
【００５７】
制御部１０は、操作部１１または受信部１２から出力される操作信号に基づき、設定画面ＳＧＰの「一定時間無操作時」の設定項目に含まれる各選択項目の中から選択された１つの選択項目ＳＡを特定する。そして、制御部１０は、選択項目ＳＡと、不揮発性メモリ１０ｃから読み込んだ電源状態設定情報に含まれる一定時間無操作時の電源状態の設定値と、に基づき、一定時間無操作時の電源状態に係る設定内容が変更されたか否かを判定する（図３のステップＳ４）。
【００５８】
制御部１０は、一定時間無操作時の電源状態に係る設定内容が変更されたとの判定結果を得た場合（Ｓ４：ＹＥＳ）、選択項目ＳＡに応じて電源状態設定情報の設定値を更新するための動作を行う（図３のステップＳ５）。また、制御部１０は、一定時間無操作時の電源状態に係る設定内容が変更されていないとの判定結果を得た場合（Ｓ４：ＮＯ）、不揮発性メモリ１０ｃに格納されている電源状態設定情報の設定値を現在の設定値のまま維持する（図３のステップＳ６）。
【００５９】
以上に述べた動作によれば、宅外の遠隔操作機器１０１からの放送受信装置１の遠隔操作を有効化するための設定がユーザにより行われた際に、一定時間無操作時の放送受信装置１の電源状態をスタンバイ状態にするための設定が制御部１０により（自動的に）行われるようにしている。そのため、本実施形態によれば、例えば、宅外の遠隔操作機器１０１における誤操作、及び、宅外の遠隔操作機器１０１の操作に応じた信号を伝送する伝送路における通信状態の悪化等の不具合の発生に起因して放送受信装置１の電源が意図せずオンされてしまったような場合であっても、当該不具合の発生時から一定時間が経過した後に、放送受信装置１の電源状態を確実にスタンバイ状態に移行させることができる。従って、本実施形態によれば、宅外から遠隔操作を行う際の不具合に起因する消費電力の増加を抑制することができる。また、本実施形態によれば、例えば、ユーザが具体的な設定方法を把握していない場合、及び、ユーザが設定の存在を認識していない場合等においても、一定時間無操作時の放送受信装置１の電源状態を簡便に設定することができる。
【００６０】
また、以上に述べた動作によれば、宅外の遠隔操作機器１０１からの放送受信装置１の遠隔操作を有効化するための設定が行われたことに連動して一定時間無操作時の放送受信装置１の電源状態をスタンバイ状態にするための設定が行われた後に、一定時間無操作時の放送受信装置１の電源状態をユーザが手動で再設定することができる。
【００６１】
なお、本実施形態によれば、例えば、放送受信装置１がビジー状態であること等に起因し、宅外の遠隔操作機器１０１からの放送受信装置１の遠隔操作を有効化するための設定が行われたにも関わらず一定時間無操作時の放送受信装置１の電源状態をスタンバイ状態にするための設定を行うことができないような場合において、一定時間無操作時の放送受信装置１の電源状態を変更可能である旨をユーザに通知するポップアップメッセージを映像表示部８に表示させるための動作が制御部１０により行われるようにしてもよい。
【００６２】
また、本実施形態によれば、不揮発性メモリ１０ｃに格納されているクラウド設定情報及び電源状態設定情報と同じ情報がクラウドサーバ２０１に格納されていてもよい。
【００６３】
また、本実施形態によれば、例えば、制御部１０が、放送受信装置１の電源状態をスタンバイ状態へ移行させるタイミングよりも所定時間前に、無操作状態が長時間継続している旨をユーザに通知するポップアップメッセージを映像表示部８に表示させるための動作を行うようにしてもよい。
【００６４】
また、本実施形態は、以上に述べた各部の構成及び／または動作を適宜変形することにより、宅外の遠隔操作機器からの遠隔操作に応じた動作を行うことが可能な様々な電子機器に対して適用することができる。
【００６５】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６６】
１…放送受信装置、８…映像表示部、１０…制御部、１０ｃ…不揮発性メモリ、１１…操作部、２２…リモートコントローラ、１０１…遠隔操作機器、２０１…クラウドサーバ。
【図１】
2019161547.tif 000003
【図２】
2019161547.tif 000004
【図３】
2019161547.tif 000005
【図４】
2019161547.tif 000006
【図５】
2019161547.tif 000007